(57)【要約】【課題】真空二重構造の断熱カップにおいて、堅牢でデザイン性に優れた把手の取付構造を提供する。【解決手段】真空二重構造の容器本体１における外容器の上方外周面に凹溝部１３を周設し、前記凹溝部に対応するリング状で且つ一箇所を切断し、切断箇所２３から外周へ突出すると共に、側面をテーパー側面２４とした連結突部２２を設けた樹脂製帯状体２を、凹溝部１３に嵌合装着し、テーパー側面２４に対応した内側面３３を備えた装着凹部３１を端面に設けた把手３を、装着凹部３１に連結突部２２を圧挿して樹脂製帯状体２を縮径方向に締め付け、当該状態で把手と連結突部を連結固定する。【選択図】図３
2015020754.tif 000002
【特許請求の範囲】
【請求項１】
真空二重構造の容器本体における外容器の上方外周面に凹溝部を周設し、前記凹溝部に対応するリング状で且つ一箇所を切断し、前記切断箇所から外周へ突出した連結突部を設けた樹脂製帯状体を、前記凹溝部に嵌合装着し、前記連結突部に対応した形状の装着凹部を端面に設けた把手を、前記装着凹部に連結突部を圧挿して樹脂製帯状体を縮径方向に締め付け、当該状態で把手と連結突部を連結固定してなることを特徴とする断熱カップ。
【請求項２】
連結突部の側面をテーパー側面に形成し、把手の装着凹部の内側面を前記テーパー側面に対応した形状に形成してなる請求項１記載の断熱コップ。
【請求項３】
連結突部のテーパー側面が、外周方向に幅狭となる形状で、把手の装着凹部を容器本体中心方向に押圧して連結突部を挿着してなる請求項２記載の断熱カップ。
【請求項４】
連結突部のテーパー側面が、上下方向で幅狭となる形状で、把手の装着凹部を上下方向で押圧して連結突部を挿着してなる請求項２記載の断熱カップ。
【請求項５】
装着凹部の内側面を、連結突部のテーパー側面に対応するテーパー内側面にしてなる請求項３又は４の何れかに記載の断熱カップ。
【請求項６】
凹溝部の深さと、樹脂製帯状体の凹溝部に嵌合する帯部の厚さを一致させてなる請求項１乃至５の何れかに記載の断熱カップ。
【請求項７】
容器本体の下方周面適宜位置に、把手下方端を止着する金属板で形成した下方装着部を溶着し、前記下方装着部に把手を連結固定してなる請求項１乃至６の何れかに記載の断熱カップ。
【発明の詳細な説明】
【技術分野】
【０００１】
本発明は、真空二重断熱構造の断熱カップで、特に把手構造に関するものである。
【背景技術】
【０００２】
マグカップと称される金属製真空二重容器で形成される断熱カップに、樹脂製の把手を装着する手段としては、外容器の金属表面に金属製の装着部を溶接し、当該装着部に樹脂製把手を装着固定する構造が知られているが、溶接部分で飲料を入れた容器重量を負担するには、相応の強度で金属製装着部を溶着しなければならなく、また容器自体を軽量にするために容器を形成するステンレス板を薄くするので、溶接個所においてピンホールが出来易い等の問題があり、重量を負担する把手の取付に非溶接構造の採用が提案されている。
【０００３】
特許文献１（意匠登録第１３０２２９０号公報）には、容器本体の上部縁外周に嵌合した樹脂製帯枠と容器本体下部に装着した皿状被覆部との間に、把手を架設する構造が示されている。
【０００４】
また特許文献２（意匠登録第１３８２１３０号公報）には、把手一体成形した樹脂製帯枠を、上部縁外周に嵌め殺し状に嵌合した容器が示されている。
【０００５】
更に特許文献３（特開平１１−１３７４５７号公報）には、容器本体の外周に一部が外側に突出した金属製帯状体を巻き付け、前記突出部分にコ状の締付部材を被冠し、突出部分と締付部材の間をボルトナットで近接させることで、前記帯状体を引き締めて帯状体を容器本体に固定し、前記突出部に把手（釣り手）を装着する構造が開示されている。
【先行技術文献】
【特許文献】
【０００６】
【特許文献１】意匠登録第１３０２２９０号公報。
【特許文献２】意匠登録第１３８２１３０号公報。
【特許文献３】特開平１１−１３７４５７号公報。
【発明の概要】
【発明が解決しようとする課題】
【０００７】
樹脂製帯枠を採用する前記特許文献に記載されている把手構造は、底板が必然の構成であり、デザイン上の制限を受けると共に、製造コストを上昇させる原因になる。
【０００８】
また特許文献２に開示されている嵌め殺し構造では、樹脂製帯枠が容器本体より上方へ抜け出るのを防止する部分（抑え突条部）の外径を大きくとると、樹脂製帯枠の嵌合装着が困難であり、逆に小さくとると外れやすくなる。而も樹脂製帯枠を容器本体の外周面と面一とすることも困難で、カップ全体の外周面の面一性を確保するには、容器本体の上縁部外周を覆う飲み口部材を装着する必要がある。
【０００９】
また特許文献３に開示されている帯状体の装着手段は、金属部品の変形性が前提であり、樹脂製帯枠には適用できない。
【００１０】
そこで本発明は、樹脂製帯枠を採用すると共に、容器本体の上方外周部分に簡単に装着できる新規な把手取付構造を採用した真空二重断熱構造の断熱カップを提案したものである。
【課題を解決するための手段】
【００１１】
本発明（請求項１）に係る断熱カップは、真空二重構造の容器本体における外容器の上方外周面に凹溝部を周設し、前記凹溝部に対応するリング状で且つ一箇所を切断し、前記切断箇所から外周へ突出した連結突部を設けた樹脂製帯状体を、前記凹溝部に嵌合装着し、前記連結突部に対応した形状の装着凹部を端面に設けた把手を、前記装着凹部に連結突部を圧挿して樹脂製帯状体を縮径方向に締め付け、当該状態で把手と連結突部を連結固定してなることを特徴とするものである。
【００１２】
而して把手が連結固定される樹脂製帯状体は、把手の先端に設けた装着凹部の圧挿着によって、切断箇所が近接或いは当接して、凹溝部に強く巻き締めて装着され、当該状態で把手と連結突部を連結固定するので、把手が容器本体へ堅牢に装着されることになる。
【００１３】
また本発明（請求項２）に係る断熱カップは、特に前記連結突部の側面をテーパー側面に形成し、把手の装着凹部の内側面を前記テーパー側面に対応した形状に形成したもので、装着凹部に連結突部を圧挿入すると、徐々に樹脂製帯状体が凹溝部へ巻き締めることになり、連結作業が容易で且つガタツキが生じない利点がある。
【００１４】
また本発明（請求項６）に係る断熱カップは、凹溝部の深さと、樹脂製帯状体の凹溝部に嵌合する帯部の厚さを一致させてなるもので、樹脂製帯状体は、容器本体の外周面と面一に形成されるものである。
【発明の効果】
【００１５】
本発明の構成は上記のとおり、金属製真空二重構造の容器本体に、樹脂製帯状体を巻装して把手を設ける構成で、特に帯状体と把手を各別に形成し、切断した帯状体と把手の連結で帯状体を縮径緊締するもので、デザイン性の制限を受けることなく堅牢に把手を取り付けた断熱カップを提供できたものである。
【図面の簡単な説明】
【００１６】
【図１】本発明の実施形態の全体斜視図。
【図２】同断面図。
【図３】同帯状体と把手の分解斜視図。
【図４】同帯状体と把手の装着説明図。
【図５】同容器本体の全体斜視図。
【図６】同帯状体と把手の別例の装着説明図。
【発明を実施するための形態】
【００１７】
次に本発明の実施形態について説明する。実施形態に示した断熱カップは、容器本体１、樹脂製帯状体２、及び把手３で構成される。
【００１８】
容器本体１は、ジョッキとして使用できる程度の大きさのステンレス製真空二重容器で、内容器部１１と外容器部１２で形成され、上方開口縁で内外容器部を溶接しているものである。
【００１９】
前記容器本体１において、上縁開口部より僅かに下方の適宜位置（把手３の装着上端に該当する位置）に、外容器部１２の周面を一周する適宜上下幅の凹溝部１３を設け、外容器の下方適宜位置（把手３の装着下端に該当する位置）に、短Ｌ板状金属板を溶着して、下方止着部１４を設けたものである。
【００２０】
樹脂製帯状体２は、帯部２１と連結突部２２からなり、帯部２１は、前記凹溝部１３の幅と深さに対応したリング状で、一箇所を切断しているものである。連結突部２２は前記切断箇所２３の左右から外周へ突出形成したもので、側面が外周方向へ向かって幅狭となるテーパー側面２４とし、左右間を貫通する鋲孔２５を設けたものである。
【００２１】
把手３は、横Ｕ状で上端部の端面に連結突部２２と対応する装着凹部３１を設け、下端部に前記下方止着部１４に対応して連結可能な構造の下方連結部３２を設けたものである。尚前記の下方連結部３２は、外方に突出する板状の下方止着部１４に止着できる構造であれば任意であるが、一般的には図示したとおり下方止着部１４が挿入される穴部３２１を形成し、穴部３２１に挿入した下方止着部１４と把手３をビス３２２で連結するもので、後述する連結突部２２と把手３の連結固定後に、適宜行う。
【００２２】
また特に装着凹部３１は、連結突部２２のテーパー側面２４と対応するテーパー内側面３３に形成すると、把手装着時に両側面が密着することになる。更に前記鋲孔２５と対応する位置に、同様の鋲孔３４を穿設したものである。
【００２３】
而して樹脂製帯状体２は切断箇所２３を僅かに開いて拡径し、帯部２１を凹溝部１３に嵌合装着し、把手３の装着凹部３１を容器本体１の中心方向に向けて連結突部２２に押圧しながら外挿する。前記の外挿押圧被冠によってテーパー内側面３３でテーパー側面２４の幅寄せがなされて、樹脂製帯状体２は縮径方向に締め付けられる。そこで鋲孔２５，３４に鋲体３５を貫通装着し、把手３と連結突部２２が連結固定される。
【００２４】
特に本発明は、切断箇所２３を備えた樹脂製帯状体２を採用することで、外容器の１２の外周面に設けた凹溝部１３に簡単に嵌合装着でき、更に把手３の装着と同時に帯状体２の帯部を縮径方向に引き締められるので、帯状体２及び把手３は容器本体１と堅牢に一体化されるものである。
【００２５】
更に凹溝部１３の深さと樹脂製帯状体２の帯部２１の厚さを一致させると、帯状体２の外周面と容器本体１の外周面が面一となり、デザイン性にも優れたものになる。
【００２６】
尚前記の例は、連結突部２２のテーパー側面２４を、外周方向へ向かって幅狭となるテーパー側面２４としたものであるが、その他図６に例示するとおり、連結突部２２ａのテーパー側面２４ａが、上下方向で幅狭となる形状とし、把手３ａの装着凹部３１ａも、上下方向から把手３ａを圧入した際に、前記のテーパー側面２４ａを左右から幅寄せする内側面３３ａを設けるような構成を採用しても良い。
【符号の説明】
【００２７】
１      容器本体
１１    内容器部
１２    外容器部
１３    凹溝部
１４    下方止着部
２      樹脂製帯状体
２１    帯部
２２，２２ａ    連結突部
２３    切断箇所
２４，２４ａ    テーパー側面
２５    鋲孔
３，３ａ      把手
３１，３１ａ    装着凹部
３２    下方連結部
３２１    穴部
３２２    ビス
３３    テーパー内側面
３３ａ    内側面
３４    鋲孔
３５    鋲体
【図１】
2015020754.tif 000003
【図２】
2015020754.tif 000004
【図３】
2015020754.tif 000005
【図４】
2015020754.tif 000006
【図５】
2015020754.tif 000007
【図６】
2015020754.tif 000008